(57)【要約】      （修正有）【課題】保持フィルムを張り渡した２つのフィルム枠によって物品を保持して梱包する梱包箱では、強度の弱い保持フィルムを用いても、梱包箱が若干の衝撃を受けただけで保持フィルムに破れが生ずることがない梱包箱を提供する。【解決手段】梱包箱１０は、緩衝材１２を備えている。緩衝材１２は外箱２０内に配されている。緩衝材１２は板状の緩衝部１２ａを有している。２のフィルム枠１１のうちの少なくとも一方のフィルム枠１１の保持フィルム１１ａの裏面１１a2側に、保持フィルム１１ａおよび外箱２０の内面２０ａと間隔を置いて緩衝部１２ａが位置している。物品Ｔは、２のフィルム枠１１で挟み込まれるが、２の保持フィルム１１ａの表面１１ａ１同士の間に生ずる間隔よりも物品Ｔの厚みの方が大きい。【選択図】図４
2005126124.tif 000002
【特許請求の範囲】
【請求項１】
外箱と２のフィルム枠とを備え、柔軟に変形しその張力によって保持力を発生する薄膜状の保持フィルムが枠部材に張り渡されることにより該フィルム枠が形成され、該２のフィルム枠の保持フィルム同士が向き合うように該外箱内に該２のフィルム枠が嵌め込まれ、該２のフィルム枠の間に物品を挟んで保持する梱包箱であって、
緩衝材をさらに備え、
該緩衝材は板状の緩衝部を有し、
該２のフィルム枠のうちの少なくとも一方のフィルム枠の保持フィルムの裏面側に、該保持フィルムおよび該外箱の内面と間隔を置いて該緩衝部が位置するように、該緩衝材が該外箱内に配され、
該緩衝部は、該保持フィルムの裏面の少なくとも略中央部に対面する受面を有する、梱包箱。
【請求項２】
該２のフィルム枠のうちの一方のフィルム枠の保持フィルムの裏面側に、該保持フィルムおよび該外箱の内面と間隔を置いて該緩衝部が位置するように、該緩衝材が該外箱内に配されるとともに、
他方のフィルム枠の保持フィルムの裏面側にも、該保持フィルムおよび該外箱の内面と間隔を置いて該緩衝部が位置するように、該緩衝材が該外箱内に配された、請求項１記載の梱包箱。
【請求項３】
外箱とフィルム枠と保持材とを備え、
該フィルム枠は、柔軟に変形しその張力によって保持力を発生する薄膜状の保持フィルムが枠部材に張り渡されることにより形成され、
該保持材は、該フィルム枠の保持フィルムと向き合う保持面を有し、
該外箱内に該フィルム枠と該保持材とが嵌め込まれ、該フィルム枠と該保持材との間に物品を挟んで保持する梱包箱であって、
緩衝材をさらに備え、
該緩衝材は板状の緩衝部を有し、
該フィルム枠の保持フィルムの裏面側に、該保持フィルムおよび該外箱の内面と間隔を置いて該緩衝部が位置するように、該緩衝材が該外箱内に配され、
該緩衝部は、該保持フィルムの裏面の少なくとも略中央部に対面する受面を有する、梱包箱。
【請求項４】
該緩衝部が、該保持フィルム  または／および  該外箱の内面と略平行に配された、請求項１乃至３のいずれか一の項に記載の梱包箱。
【請求項５】
該緩衝材が、平板状の緩衝部と脚部とを有し、
該緩衝部が該外箱の内面から、該脚部の高さに相当する距離だけ離間する、請求項１乃至４のいずれか一の項に記載の梱包箱。
【請求項６】
該緩衝材が紙を折り曲げることにより形成され、
該折曲部より外側の部分が該脚部となり、該折曲部よりも内側の部分が該緩衝部となる、請求項５記載の梱包箱。
【請求項７】
該紙が段ボール紙である、請求項６記載の梱包箱。
【発明の詳細な説明】
【技術分野】
【０００１】
本願発明は、保持フィルムを張り渡したフィルム枠によって物品を保持して梱包する梱包箱に関し、特に、物品が梱包された状態において梱包箱が大きな衝撃を受けても確実に物品を保持することができるような梱包箱に関する。
【背景技術】
【０００２】
近年、保持フィルムを張り渡した一対のフィルム枠を外箱に嵌め込み、該一対のフィルム枠の間に物品を挟み込むタイプの梱包箱が多く利用されている。
【０００３】
図１３は、このようなタイプの梱包箱の断面図であり、（ａ）は比較的小型の物品Ｔ１０１を梱包する梱包箱１１０を、（ｂ）は比較的大型の物品Ｔ２０１を梱包する梱包箱２１０を示す。図中の符号１２０，２２０は外箱を、符号１１１，２１１はフィルム枠を、符号１１１ａ，２１１ａは保持フィルムを、それぞれ示す。
【０００４】
このようなタイプの梱包箱が多用される背景には環境問題がある。すなわち、発砲スチロール等の廃棄・処理に種々の法上の制約が生まれたため、内部に発砲スチロール製ブロックを緩衝用に用いるような梱包箱を用いると、開梱後に発砲スチロール製ブロックを廃棄・処理することが困難となるからである。このような発砲スチロール製ブロックを用いた梱包箱に替わり、フィルム枠を用いた梱包箱が多用されるようになりつつあるのである。フィルム枠は、保持フィルムを張り渡すための枠部材を段ボール紙等で製作することができる。よって、開梱後に廃棄・処理しやすいのである。
【０００５】
ところが、フィルム枠を用いた梱包箱では、薄膜状の保持フィルムの張力によって物品を保持しているため、保持フィルムの強度によってその保持力が制限される。強度の弱い保持フィルムを用いると、梱包箱が若干の衝撃を受けただけで、その中の物品の変動によって保持フィルムに破れが生ずる。
【０００６】
図１４はフィルム枠１１１の外観図であり、保持フィルム１１１ａに破れが生じた状態を示す図である。図中の矢印で示す部分が破れた部分である。このような破れが生ずると、さらに保持フィルム１１１ａの強度が低下してゆき、最終的には保持フィルム１１１ａで物品Ｔ１０１を保持することができなくなる。そのようになると、梱包箱１１０の内部で、物品Ｔ１０１が何らの保持もされない状態となり、物品Ｔ１０１の破損を招く場合もある。
【０００７】
一方、保持フィルムの強度を高くすると、上記のような保持フィルムの破れは生じにくくなる。しかし、一般に強度の高い保持フィルムは柔軟性に欠ける。よって、物品の形状に対して柔軟に変形することができない。従って、梱包箱内で、物品の保持が不安定になる。
【０００８】
なお、物品の大きさや形状に応じて、保持フィルムの張り具合を容易に調整しようとする技術がある（例えば、特許文献１）。この技術は、保持フィルムを筒状体で支え、物品を挟み込む保持フィルムの張力を増加させようとする技術である。この技術は、張力の弱すぎる保持フィルムの張力を調整するには有効であろう。しかし、保持フィルムに対して張力を増加させることは、結局、保持フィルムを破れやすくすることになる。
【特許文献１】特開２００２−１７９１４７号公報（２頁、図１）
【発明の開示】
【発明が解決しようとする課題】
【０００９】
本願発明が解決しようとする課題は、保持フィルムが、梱包される物品の形状に応じて柔軟に変形する状態を保ちつつ、梱包箱が衝撃を受けても保持フィルムが破れにくいようにして、物品を確実に安定して保持することができるような梱包箱を提供することにある。
【課題を解決するための手段】
【００１０】
上記課題を解決するために、本願発明に係る梱包箱は、外箱と２のフィルム枠とを備え、柔軟に変形しその張力によって保持力を発生する薄膜状の保持フィルムが枠部材に張り渡されることにより該フィルム枠が形成され、該２のフィルム枠の保持フィルム同士が向き合うように該外箱内に該２のフィルム枠が嵌め込まれ、該２のフィルム枠の間に物品を挟んで保持する梱包箱であって、緩衝材をさらに備え、該緩衝材は板状の緩衝部を有し、該２のフィルム枠のうちの少なくとも一方のフィルム枠の保持フィルムの裏面側に、該保持フィルムおよび該外箱の内面と間隔を置いて該緩衝部が位置するように、該緩衝材が該外箱内に配され、該緩衝部は、該保持フィルムの裏面の少なくとも略中央部に対面する受面を有する。
【００１１】
また上記課題を解決するために、本願発明に係る梱包箱は、外箱とフィルム枠と保持材とを備え、該フィルム枠は、柔軟に変形しその張力によって保持力を発生する薄膜状の保持フィルムが枠部材に張り渡されることにより形成され、該保持材は、該フィルム枠の保持フィルムと向き合う保持面を有し、該外箱内に該フィルム枠と該保持材とが嵌め込まれ、該フィルム枠と該保持材との間に物品を挟んで保持する梱包箱であって、緩衝材をさらに備え、該緩衝材は板状の緩衝部を有し、該フィルム枠の保持フィルムの裏面側に、該保持フィルムおよび該外箱の内面と間隔を置いて該緩衝部が位置するように、該緩衝材が該外箱内に配され、該緩衝部は、該保持フィルムの裏面の少なくとも略中央部に対面する受面を有する。
【発明の効果】
【００１２】
梱包箱が衝撃を受け、内部の物品が変動して保持フィルムが大きく撓むと、保持フィルムが緩衝材の緩衝部に当接し、物品が緩衝材によっても緩衝的に支持される。よって、物品が保護されると同時に保持フィルムも保護され、保持フィルムに破れが生じにくくなる。その結果、物品を確実に安定して保持することができる。
【発明を実施するための最良の形態】
【００１３】
本願発明の梱包箱において、２のフィルム枠を用いる場合は、そのうちの一方のフィルム枠の保持フィルムの裏面側に、該保持フィルムおよび該外箱の内面と間隔を置いて該緩衝部が位置するように、該緩衝材が該外箱内に配されるとともに、他方のフィルム枠の保持フィルムの裏面側にも、該保持フィルムおよび該外箱の内面と間隔を置いて該緩衝部が位置するように、該緩衝材が該外箱内に配されるようにすると、より確実に安定して物品を保持することができる。
【００１４】
また、該緩衝部が、該保持フィルム  または／および  該外箱の内面と略平行に配されるようにしてもよい。
【００１５】
また、該緩衝材が、平板状の緩衝部と脚部とを有し、該緩衝部が該外箱の内面から、該脚部の高さに相当する距離だけ離間するようにしてもよい。
【００１６】
また、該緩衝材が紙を折り曲げることにより形成され、該折曲部より外側の部分が該脚部となり、該折曲部よりも内側の部分が該緩衝部となるようにしてもよい。このようにすると、容易に脚部を形成することができる。
【００１７】
また、該紙が段ボール紙であることが望ましい。適度な強度や弾力性を有するからである。
【実施例１】
【００１８】
以下、本願発明の実施例を、図面を参照しつつ説明する。
【００１９】
図１は、本願発明を適用した梱包箱１０を構成する部材を示す外観図である。この図に示された部材が組み立てられて、梱包箱１０が構成される。
【００２０】
梱包箱１０は、外箱２０と、一対のフィルム枠１１と、一対の緩衝材１２とを備える。
【００２１】
外箱２０は段ボール紙製の箱である。図１では、蓋が開けられた状態の外箱２０が示されているが、この蓋が閉じられると、外箱２０の形状は略直方体状となる。
【００２２】
フィルム枠１１には、樹脂製の薄膜状の保持フィルム１１ａが張り渡されている。
【００２３】
緩衝材１２は、板状の緩衝部１２ａを有する。
【００２４】
２のフィルム枠１１は同一形態に構成された部材であり、２のフィルム枠１１の保持フィルム１１ａの表面同士が向かい合うように配される。
【００２５】
２のフィルム枠１１のうちの一方が保持材として機能し、そのフィルム枠１１（保持材）に張り渡された保持フィルム１１ａの表面が保持材の保持面として機能すると考えることもできる。
【００２６】
２の緩衝材１２も同一形態に構成された部材であり、その緩衝部１２ａの表面が向かい合うように配される。
【００２７】
２のフィルム枠１１および２の緩衝材１２は、図１に示されるような上下方向の配置関係のままに、外箱２０に嵌め込まれる。
【００２８】
この梱包箱１０は、梱包される物品(図示せず)を、一対のフィルム枠１１の間に挟んで保持する。
【００２９】
図２は、フィルム枠１１の図であり、（ａ）はフィルム枠１１を構成する枠部材１１ｂの展開図であり、（ｂ）は枠部材１１ｂと保持フィルム１１ａとが張り合わされる前の状態を示す、フィルム枠１１の外観図である。
【００３０】
フィルム枠１１は、薄膜状の保持フィルム１１ａが枠部材１１ｂに張り合わされることにより構成されている。
【００３１】
図２（ａ）に示されるような形状の段ボール紙が折り曲げられて立体的に形成されることにより、枠部材１１ｂが構成される。図２（ａ）において、符号１１ｃは矩形の孔部を示し、一点鎖線は折曲線であり、符号１１ｄは糊付けのための耳部を示す。
【００３２】
図２（ｂ）には、保持フィルム１１ａと、図２（ａ）に示す段ボール紙が折り曲げられて形成された枠部材１１ｂとが示されている。図２（ｂ）において、枠部材１１ｂに表された斜線部は、保持フィルム１１ａとの接着面を示す。この接着面において、保持フィルム１１ａの周縁部が枠部材１１ｂに接着される。これにより、枠部材１１ｂの孔部１１ｃが保持フィルム１１ａによって塞がれる。
【００３３】
図３は、緩衝材１２の図であり、（ａ）はその展開図であり、（ｂ）はその外観図である。
【００３４】
図３（ａ）に示されるような形状の段ボール紙が折り曲げられて立体的に形成されることにより、緩衝材１２が構成される。図３（ａ）において、一点鎖線は折曲線である。平行に配された２の折曲線の内側の部分が緩衝材１２の緩衝部１２ａとなり、折曲線よりも外側の部分は緩衝材１２の脚部１２ｂとなる。
【００３５】
図３（ｂ）から理解されるように、緩衝部１２ａは、脚部１２ｂによって、所定の高さ位置に支持される。緩衝部１２ａは略矩形の平板状である。
【００３６】
図３に示す緩衝材１２は、段ボール紙を折り曲げることによって形成することができる。よって、折り曲げられる前の段ボール紙の状態のままであれば、小さなスペースに保管しておくことができる。
【００３７】
図４は、梱包箱１０の横断面図である。この図においては、梱包箱１０内に物品は梱包されていない。
【００３８】
外箱２０内には、保持フィルム１１ａ同士が略平行となるように、２のフィルム枠１１が嵌め込まれている。２のフィルム枠１１の保持フィルム１１ａの表面１１a1同士は互いに向かい合っている。
【００３９】
さらに各緩衝材１２は、各フィルム枠１１に嵌め込まれた状態で、外箱２０内に収容されている。
【００４０】
上下の各保持フィルム１１ａの裏面１１a2側には、保持フィルム１１ａと外箱２０の内面２０ａとの間の空間が存するが、上方側の空間にも、下方側の空間にも、緩衝材１２が存する。これにより、各保持フィルム１１ａの裏面１１a2と、外箱２０の内面２０ａとの間に、緩衝材１２の緩衝部１２ａが位置している。
【００４１】
保持フィルム１１ａと緩衝部１２ａとの間には、距離Ｄ１の間隔が生じている。また、外箱２０の内面２０ａと緩衝部１２ａとの間には、距離Ｄ２の間隔が生じている。距離Ｄ１を介して、保持フィルム１１ａと緩衝部１２ａとは略平行に配されている。また、距離Ｄ２を介して、外箱２０の内面２０ａと緩衝部１２ａとは略平行に配されている。この距離Ｄ２は、緩衝材１２の脚部１２ｂの高さに相当する。つまり、緩衝材１２の緩衝部１２ａは、脚部１２ｂの高さに相当する距離だけ、外箱２０の内面２０ａから離れている。
【００４２】
図５は、物品（被梱包物品）Ｔが梱包箱１０の内部に梱包された状態を示す、梱包箱１０の横断面図である。
【００４３】
物品（被梱包物品）Ｔは、一対のフィルム枠１１で挟み込まれている。２の保持フィルム１１ａの表面１１a1同士の間に生ずる間隔よりも、物品Ｔの厚みの方が大きいので、保持フィルム１１ａは物品Ｔの形状に合わせて柔軟に変形し、物品Ｔに密着している。そのため、保持フィルム１１ａは引き伸ばされた状態となり、保持フィルムの張力が大きくなっている。保持力としてのこの保持フィルム１１ａの張力によって、物品Ｔは梱包箱１０内に保持されている。
【００４４】
図５に示す状態は、梱包箱１０に振動や衝撃が加えられないときの状態である。このような状態においては、物品Ｔは保持フィルム１１ａの張力（保持力）によってのみ保持されている。
【００４５】
図６は、物品Ｔが梱包箱１０の内部に梱包された状態を示す、梱包箱１０の横断面図である。図６に示す状態は、梱包箱１０に振動や衝撃が加えられたときの状態である。梱包箱１０に対する振動や衝撃のため、その内部に収容された物品Ｔが梱包箱１０の中において下方に変位している。そのため、下方のフィルム枠１１の保持フィルム１１ａの変形がより大きくなっている。
【００４６】
下方のフィルム枠１１の保持フィルム１１ａは、下方の緩衝材１２の緩衝部１２ａの表面１２a1に当接している。緩衝部１２ａの表面１２a1は、物品Ｔを受ける受面として機能している。緩衝部１２ａの表面１２a1の中央部は、保持フィルム１１ａの裏面１１a2の中央部に対面している。
【００４７】
この緩衝部１２ａは、物品Ｔからの押圧力によって撓んでいる。緩衝部１２ａは段ボール紙製であるが、ある程度の弾力を有しているので、下方への変形（撓み）を復元させようとする力を発生させる。この力によって、物品Ｔは、緩衝材１２によって緩衝的に支持される。物品Ｔは、保持フィルム１１ａと緩衝部１２ａとによって支持された状態となる。
【００４８】
また、この力（緩衝部１２ａがその変形を復元させようとする力）によって、保持フィルム１１ａの過度の変形が防止される。よって、保持フィルム１１ａが破れにくくなる。
【００４９】
以上のように、梱包箱１０が衝撃を受けて、その内部に収容された物品Ｔが変動して保持フィルム１１ａが大きく撓むと、保持フィルム１１ａは緩衝材１２の緩衝部１２ａに当接する。そして、物品Ｔが緩衝材１２によっても緩衝的に支持される状態になる。よって、物品Ｔが保護されると同時に、保持フィルム１１ａも保護される。その結果、保持フィルム１１ａに破れが生じにくくなる。また物品Ｔも、確実に安定的に保持される。
【００５０】
図７は、緩衝材１２の脚部１２ｂの高さの調整方法を示す図であり、（ａ）は調整前の状態を示す外観図であり、（ｂ）は調整後の状態を示す外観図である。図３を参照しつつ上述したように、緩衝材１２は、略矩形の段ボール紙の両端を略垂直に折り曲げることによって形成されている。これにより、緩衝材１２には２の脚部１２ｂが形成されている。図７（ａ）に示す緩衝材１２の形態は、図３（ｂ）に示す緩衝材１２の形態と同一である。
【００５１】
図７（ａ）のような状態の緩衝材１２では、脚部１２ｂの高さが高すぎるような場合は、脚部１２ｂの底部近傍をさらに内側に折り曲げることによって、脚部１２ｂの高さを低くすることができる。
【００５２】
図７（ａ）における一点鎖線は、このときの折曲線を示す。この折曲線に沿って脚部１２ｂの底部近傍を内側に略垂直に折り曲げると、緩衝材１２は図７（ｂ）に示すような形態となる。図７（ｂ）に示す形態の緩衝材１２の高さは、図７（ａ）に示す形態の緩衝材１２よりも低い。このように、脚部１２ｂを折り曲げることによって、緩衝材１２の脚部１２ｂの高さの調整を容易に行うことができる。
【００５３】
図８は、緩衝材の他の例を示す図であり、（ａ）は緩衝材の展開図であり、（ｂ）はその外観図である。図３において、矩形の緩衝部１２ａと２の脚部１２ｂを有する緩衝材１２を示した。２の脚部１２ｂは、緩衝部１２ａの対向する２辺を基部としている。このような形態（図３に示すような形態）の緩衝材１２は、緩衝部１２ａが撓みやすいので、緩衝的効果は大きい。しかし、より重い物品を支持するには、緩衝部の剛性をある程度大きくした方が好ましい。
【００５４】
図８に示す緩衝材３２は、より大きな剛性を有する。図８（ａ）において、一点鎖線は折曲線である。折曲線よりも内側の部分が緩衝材３２の緩衝部３２ａとなり、折曲線よりも外側の部分は緩衝材３２の脚部３２ｂ，３２ｃとなる。図８（ｂ）は、折曲線に沿って段ボール紙を折り曲げることによって、所定高さの脚部３２ｂ，３２ｃが形成された状態を示す。一対の脚部３２ｂは対面しており、また、一対の脚部３２ｃも対面している。脚部３２ｂと脚部３２ｃの高さは同一である。図３に示すような緩衝材１２に替えて、図８に示すような緩衝材３２を適用することもできる。
【００５５】
図８に示す緩衝材３２は、矩形の緩衝部３２ａの４辺が脚部３２ｂ，３２ｃによって支えられるので、図３に示す緩衝材１２よりも剛性が高くなる。よって、より重い物品を収容する梱包箱に適している。重量の大きな物品（被梱包物品）が、梱包箱の内部で大きく変動したときには、保持フィルムのみならず剛性の高い緩衝材３２をも破損させるかもしれない。しかし、緩衝材３２が破損することにより、重量の大きな物品（被梱包物品）の破損が防止されることが期待できる。
【００５６】
図９は、フィルム枠の他の例を示す図であり、（ａ）はフィルム枠４１を構成する枠部材４１ｂの展開図であり、（ｂ）は枠部材４１ｂと保持フィルム１１ａとが張り合わされる前の状態を示す、フィルム枠４１の外観図である。
【００５７】
フィルム枠４１は、保持フィルム１１ａが枠部材４１ｂに張り合わされることにより構成されている。
【００５８】
図９（ａ）に示されるような形状の段ボール紙が折り曲げられて立体的に形成されることにより、枠部材４１ｂが構成される。図９（ａ）において一点鎖線は折曲線である。符号４１ｄは糊付けのための耳部を示す。また図９において、符号４１ｃは矩形の孔部を示す。
【００５９】
図９（ｂ）には、保持フィルム１１ａと、図９（ａ）に示す段ボール紙が折り曲げられて形成された枠部材４１ｂとが示されている。図９（ｂ）において、枠部材４１ｂに表された斜線部は、保持フィルム１１ａとの接着面を示す。この接着面において、保持フィルム１１ａの周縁部が枠部材４１ｂに接着される。これにより、枠部材４１ｂの孔部４１ｃが保持フィルム１１ａによって塞がれる。
【００６０】
図９から理解されるように、フィルム枠４１は、側面部４１ｅのみならず、孔部４１ｃの周縁を基部として伸延する脚部４１ｆを有している。側面部４１ｅのみならず脚部４１ｆも、梱包箱内において保持フィルム１１ａを所定の高さ位置に維持する機能を有する。フィルム枠４１の枠部材４１ｂは、図２に示すようなフィルム枠１１の枠部材１１ｂに比べて、より強度が高い。図２に示すようなフィルム枠１１に替えて、図９に示すようなフィルム枠４１を適用することもできる。但し、図９に示すようなフィルム枠４１を用いる場合は、緩衝材の形態をこれに適合するものとする必要がある。
【００６１】
図１０は、図９に示すフィルム枠４１と、このフィルム枠４１と併せて用いることのできる緩衝材５２とを示す、外観図である。図１０の緩衝材５２の型は、図３に示す緩衝材１２の型と類似している。しかし、図１０に示す緩衝材５２の大きさは、フィルム枠４１の脚部４１ｆで囲まれた空間に納まるような大きさである。
【００６２】
図１１は、図９，図１０に示すフィルム枠４１と緩衝材５２を外箱２０内に嵌め込んで構成された梱包箱６０の横断面図である。梱包箱６０の内部には、物品Ｔが梱包されている。
【００６３】
梱包箱６０に振動や衝撃が加えられたときには、物品Ｔが梱包箱６０内で変位する。そのときに、フィルム枠４１の保持フィルム１１ａが緩衝材５２に当接するまで変形しても、それ以上に過度の変形（保持フィルム１１ａの変形）は防止される。また、物品Ｔも、緩衝材５２によって緩衝的に支持される。
【実施例２】
【００６４】
図１２は、本願発明を適用した梱包箱７０の横断面図である。この図は、物品（被梱包物品）Ｔが梱包箱７０の内部に梱包された状態を示している。
【００６５】
梱包箱７０は、外箱２０と、フィルム枠１１と、緩衝材１２と、保持材７１とを備える。
【００６６】
外箱２０、フィルム枠１１  および  緩衝材１２は、いずれも実施例１の図１の梱包箱１０におけるものと概略同様に構成されている。
【００６７】
保持材７１は、緩衝材１２と概略同様に構成されている。つまり、保持材７１は、矩形の段ボール紙の両端が折り曲げられることにより形成されており、該折曲部の内側の部分が保持面７１ａとして機能している。
【００６８】
外箱２０には、フィルム枠１１と保持材７１とが嵌め込まれており、さらに外箱２０内において、フィルム枠１１の裏側に緩衝材１２が配されている。
【００６９】
物品（被梱包物品）Ｔは、フィルム枠１１と保持材７１とで挟み込まれている。さらに詳細に説明すると、物品Ｔは、フィルム枠１１の保持フィルム１１ａの表面１１a1と、保持材７１の保持面７１ａとの間に挟まれて保持されている。
【００７０】
保持フィルム１１ａの表面１１a1と保持材７１の保持面７１ａとは向かい合っている。両者（表面１１a1と保持面７１ａ）の間に生ずる間隔よりも、物品Ｔの厚みの方が大きいので、保持フィルム１１ａは物品Ｔの形状に合わせて柔軟に変形し、物品Ｔに密着している。そのため、保持フィルム１１ａは引き伸ばされた状態となり、保持フィルム１１ａの張力が大きくなっている。保持力としてのこの保持フィルム１１ａの張力によって、物品Ｔは梱包箱７０内に保持されている。
【００７１】
図１２のような状態の梱包箱７０に対して振動や衝撃が加えられると、その内部に収容された物品Ｔが梱包箱７０の内部において変位する。物品Ｔの下方への変位によって、フィルム枠１１の保持フィルム１１ａの変形がより大きくなったとしても、その下方の緩衝材１２によって変形の程度が制限される。よって、保持フィルム１１ａの過度の変形が防止されて、保持フィルム１１ａが破れにくくなる。また、緩衝材１２が変形（撓み）を復元させようとする力を発生させるので、物品Ｔは、緩衝材１２によって緩衝的に支持される。
【００７２】
また、梱包箱７０に加えられる振動や衝撃によって、その内部に収容された物品Ｔが上方へ変位しようとしたときは、その上方にある保持材７１によって変位の程度が制限される。また、物品Ｔに変位が生じて保持材７１が変形しても、保持材７１はその弾性によって変形（撓み）を復元させようとする力を発生させる。よって、物品Ｔは保持材７１によって緩衝的に保持される。
【産業上の利用可能性】
【００７３】
保持フィルムを破れにくくして、被梱包物品を確実に安定して保持することができるので、梱包箱の技術分野に利用できる。
【図面の簡単な説明】
【００７４】
【図１】図１は、本願発明に係る実施例の梱包箱を構成する部材を示す外観図である。
【図２】図２は、フィルム枠の図であり、（ａ）はフィルム枠を構成する枠部材の展開図であり、（ｂ）は枠部材と保持フィルムとが張り合わされる前の状態を示す、フィルム枠の外観図である。
【図３】図３は、緩衝材の図であり、（ａ）はその展開図であり、（ｂ）はその外観図である。
【図４】図４は、梱包箱の横断面図である。
【図５】図５は、物品が梱包箱の内部に梱包された状態を示す、梱包箱の横断面図である。
【図６】図６は、物品が梱包箱の内部に梱包された状態を示す、梱包箱の横断面図である。
【図７】図７は、緩衝材の脚部の高さの調整方法を示す図であり、（ａ）は調整前の状態を示す外観図であり、（ｂ）は調整後の状態を示す外観図である。
【図８】図８は、緩衝材の他の例を示す図であり、（ａ）は緩衝材の展開図であり、（ｂ）はその外観図である。
【図９】図９は、フィルム枠の他の例を示す図であり、（ａ）はフィルム枠を構成する枠部材の展開図であり、（ｂ）は枠部材と保持フィルムとが張り合わされる前の状態を示す、フィルム枠の外観図である。
【図１０】図１０は、図９に示すフィルム枠と、このフィルム枠と併せて用いることのできる緩衝材とを示す、外観図である。
【図１１】図１１は、図９，図１０に示すフィルム枠と緩衝材を外箱内に嵌め込んで構成された梱包箱の横断面図である。
【図１２】図１２は、本願発明に係るもう一つの実施例の梱包箱の横断面図である。
【図１３】図１３は、従来の梱包箱の断面図であり、（ａ）は比較的小型の物品を梱包する梱包箱を、（ｂ）は比較的大型の物品を梱包する梱包箱を示す。
【図１４】図１４は、フィルム枠の外観図であり、保持フィルムに破れが生じた状態を示す図である。
【符号の説明】
【００７５】
Ｔ      物品（被梱包物品）
１０    梱包箱
１１    フィルム枠
１１ａ  保持フィルム
１１ｂ  枠部材
１１ｃ  孔部
１１ｄ  耳部
１２    緩衝材
１２ａ  緩衝部
１２ｂ  脚部
２０    外箱
２０ａ  内面
３２    緩衝材
３２ａ  緩衝部
３２ｂ，３２ｃ  脚部
４１    フィルム枠
４１ｂ  枠部材
４１ｃ  孔部
４１ｄ  耳部
４１ｅ  側面部
４１ｆ  脚部
５２    緩衝材
６０    梱包箱
７０    梱包箱
７１    保持材
７１ａ  保持面
【図１】
2005126124.tif 000003
【図２】
2005126124.tif 000004
【図３】
2005126124.tif 000005
【図４】
2005126124.tif 000006
【図５】
2005126124.tif 000007
【図６】
2005126124.tif 000008
【図７】
2005126124.tif 000009
【図８】
2005126124.tif 000010
【図９】
2005126124.tif 000011
【図１０】
2005126124.tif 000012
【図１１】
2005126124.tif 000013
【図１２】
2005126124.tif 000014
【図１３】
2005126124.tif 000015
【図１４】
2005126124.tif 000016